(57)【要約】      （修正有）【課題】ケーブルの端末にコネクタを装着したケーブルをコネクタ部に牽引力を実質的に印加させることなく牽引することができるコネクタ付ケーブル用牽引治具を提供する。【解決手段】端末にコネクタ２を有し、牽引布設されるケーブル１の端末側に装着されるコネクタ付ケーブル用牽引治具４において、治具本体５は、少なくとも前記ケーブル本体を外側から囲むようにして装着され互いに連結される複数の部材であり、前記治具本体の断面積は、前記コネクタの断面積よりも大きいコネクタ付ケーブル用牽引治具である。【選択図】図１
2011125085.tif 000002
【特許請求の範囲】
【請求項１】
端末にコネクタを有し、牽引布設されるケーブルの端末側に装着されるコネクタ付ケーブル用牽引治具において、
治具本体は、少なくとも前記ケーブル本体を外側から囲むようにして装着され互いに連結される複数の部材であり、
前記治具本体の断面積は、前記コネクタの断面積よりも大きいことを特徴とするコネクタ付ケーブル用牽引治具。
【請求項２】
請求項１に記載のコネクタ付ケーブル用牽引治具であって、前記治具本体は、更に前記コネクタを外側から囲むようにして装着され互いに連結される複数の部材からなることを特徴とするコネクタ付ケーブル用牽引治具。
【請求項３】
前記治具本体は、その断面が矩形であることを特徴とする請求項１又は２記載のコネクタ付ケーブル用牽引治具。
【請求項４】
前記治具本体の先端側に牽引用フックを備えたことを特徴とする請求項２に記載のコネクタ付ケーブル用牽引治具。
【請求項５】
前記治具本体は、その表面にコネクタの回転位置を示すマークを記したものであることを特徴とする請求項１乃至４に記載のコネクタ付ケーブル用牽引治具。
【発明の詳細な説明】
【技術分野】
【０００１】
本発明は、ケーブルの端末にコネクタを備えた各種ケーブルを牽引・布設する際に、ケーブル端末付近に装着して使用するコネクタ付ケーブル用牽引治具に関するものである。
【背景技術】
【０００２】
通常、ケーブル内部に抗張力線などを具備したケーブルの場合には、抗張力線の端末に引っ掛け用金具を固着して、その金具と牽引用ワイヤとを連結してウインチなどの機械力または人力により牽引する。
【０００３】
一方、抗張力線を備えていないケーブルの場合には、いわゆるケーブルグリップを用いて牽引することが知られている。これは、タコアミと称するネット部を有するケーブルグリップをケーブルの端末部に嵌め、この端末部をケーブルグリップで強力に把持させて摩擦的に結合させて連結する方法である（特許文献１参照）。
【０００４】
ネット部をケーブルの端部に嵌合させた状態でロープ部を前方に強く引くことでネット部を半径方向内方に収縮させ、この収縮力でケーブルの端部を強力に把持させて摩擦的に接合させるものであり、牽引力が摩擦力を超えない範囲であればケーブルを牽引することが可能である。
【先行技術文献】
【特許文献】
【０００５】
【特許文献１】特公平６−４５４２３号公報
【発明の概要】
【発明が解決しようとする課題】
【０００６】
抗張力線を具備せず、端末部に何も装着されていないケーブルについては、前述のケーブルグリップを用いて、牽引が可能であるが、予め端末にコネクタが装着されたケーブルでは問題が生じる。通常、コネクタの断面積はケーブルの断面積よりも大きくなるため、コネクタ付ケーブルにケーブルグリップを装着すると、コネクタとケーブルとの接続部分で外径が大きくなるため、その部分にネット部の締め付け力が集中してケーブルの端末方向にコネクタをケーブルから引き抜く力が発生する。そのため、コネクタ内でケーブルの芯線の断線が発生したり、ひいてはコネクタがケーブルから離脱してしまうおそれがある。
【０００７】
そこで、本発明の目的は、上記課題を解決し、ケーブルの端末にコネクタを装着したケーブルをコネクタ部に牽引力を実質的に印加させることなく牽引することができるコネクタ付ケーブル用牽引治具を提供することにある。
【課題を解決するための手段】
【０００８】
本発明の請求項１に係る発明は、端末にコネクタを有し、牽引布設されるケーブルの端末側に装着されるコネクタ付ケーブル用牽引治具において、治具本体は、少なくとも前記ケーブル本体を外側から囲むようにして装着され互いに連結される複数の部材であり、前記治具本体の断面積は、前記コネクタの断面積よりも大きいことを特徴とするコネクタ付ケーブル用牽引治具である。
【０００９】
本発明の請求項２に係る発明は、請求項１に記載のコネクタ付ケーブル用牽引治具であって、前記治具本体は、更に前記コネクタを外側から囲むようにして装着され互いに連結される複数の部材からなることを特徴とするコネクタ付ケーブル用牽引治具である。
【００１０】
本発明の請求項３に係る発明は、前記治具本体は、その断面が矩形であることを特徴とする請求項１又は２記載のコネクタ付ケーブル用牽引治具である。
【００１１】
本発明の請求項４に係る発明は、前記治具本体の先端側に牽引用フックを備えたことを特徴とする請求項２に記載のコネクタ付ケーブル用牽引治具である。
【００１２】
本発明の請求項５に係る発明は、前記治具本体は、その表面にコネクタの回転位置を示すマークを記したものであることを特徴とする請求項１乃至４に記載のコネクタ付ケーブル用牽引治具である。
【発明の効果】
【００１３】
本発明によれば、端末にコネクタを装着したケーブルをコネクタ部に牽引力を印加されることなく牽引することができる。
【図面の簡単な説明】
【００１４】
【図１】（ａ）は、本発明の実施形態にかかるコネクタ付ケーブル用牽引治具の斜視図であり、（ｂ）は、このコネクタ付ケーブル用牽引治具をケーブルの端末側に装着した状態を表す斜視図であり、（ｃ）はケーブルの端末側に装着したコネクタ付ケーブル用牽引治具の上にケーブルグリップを嵌め込んだ状態を示す斜視図である。
【図２】（ａ）は、本発明の他の実施形態を示す図面であり、特に、治具本体の下側半体に対してコネクタ付ケーブルを配置した状態を示す斜視図である。（ｂ）は、（ａ）の状態から治具本体の上側半体を配置した状態を示す斜視図である。
【発明を実施するための形態】
【００１５】
図１（ａ）は、本発明の実施形態にかかるコネクタ付ケーブル用牽引治具の斜視図であり、同図（ｂ）は、このコネクタ付ケーブル用牽引治具をケーブルの端末側に装着した状態を表す斜視図であり、同図（ｃ）はケーブルの端末側に装着したコネクタ付ケーブル用牽引治具の上にケーブルグリップを嵌め込んだ状態を示す斜視図である。
【００１６】
図２（ａ）は、本発明の他の実施形態を示す図面であり、特に、治具本体の下側半体に対してコネクタ付ケーブルを配置した状態を示す斜視図である。同図（ｂ）は、同図（ａ）の状態から治具本体の上側半体を配置した状態を示す斜視図である。
【００１７】
以下、コネクタ付ケーブル用牽引治具４を構成する各部位について説明する。
【００１８】
（治具本体について）
コネクタ付ケーブル用牽引治具４は、主として治具本体５からなっており、この治具本体５は、１対の治具半体を備えている。これら１対の治具半体とは互いに対向する面に夫々にケーブルを収納する半円形断面の溝６を有しており、例えば、一方の治具半体の溝にケーブルを嵌め込んだ後に、これに対し、他方の治具半体の溝が形成されている面を対向配置して両方の治具半体を重ね合わせることにより形成される断面円形の溝においてケーブルを挟みこむ。そして、治具本体５の四隅に形成されたボルト孔を利用してボルト締めすることによりケーブル１が治具本体５に密着することになる。
【００１９】
図１において、治具本体５は２つの治具半体として説明されているが、治具本体を構成する部材の数は２個に限定するものではない。
【００２０】
また、治具半体の材質は、硬質のプラスチック材、例えばＡＢＳ樹脂、ポリカーボネート、ポリアセタール系樹脂(ジュラコン)を用いることができる。また、金属でも比較的軽量なアルミニウムなども適用可能である。
【００２１】
また、治具本体５は、図２に示すように、ケーブル１だけでなく、コネクタ２をも収納するコネクタ収納溝１１を形成することができる。
【００２２】
また、治具本体５には、コネクタ２の回転位置合わせのためのマーカ８を適宜付することができる。
【００２３】
治具本体の断面は、図１においては、長方形であったがこれに限るものではなく、三角形であっても差し支えない。ただし、五角形、六角形と角数が増えるに従い、断面は円形に近づくので、回転方向に関する安定性が劣るので、治具本体の断面は三角形又は長方形が好ましい。
【００２４】
（コネクタについて）
コネクタの本体部分の材質はアルミニウム合金などを用いることができる。
【００２５】
コネクタの形状は特に限定するわけではないが丸型断面形のものを用いることができ、先端の最も太い部分で例えば、その外径９０ｍｍである。
【００２６】
コネクタの根元部分にはケーブル被覆をクランプ固定し、さらに隙間部分にゴム系のパッキンを挟んで、コネクタ内部への水の侵入を防止している。
【００２７】
コネクタ内部では、インサートピンの延長部分とケーブル各芯線がはんだ固定されている。その端面部には、（説明図では省略してあるが）例えば、直径３ｍｍ、長さ１５ｍｍの接続用インサートピンが８４本固定されている。
【００２８】
なお、本コネクタは接続相手であるレセプタクルと嵌合する際、回転角度を合わせるために、回転角度合わせを容易にすべく、コネクタの本体の端面部に近い部分の上面にコネクタマーカを付与してある。
【００２９】
例えば、コネクタ本体が黒色系であるのでマーカは白色のラインとした。相手側であるレセプタクルと嵌合する際に、マーカを上面にして挿入すればインサートピンが引っかかることなくスムーズに挿入でき、ピンの破損も防止できる。
【００３０】
（ケーブルグリップについて）
ケーブルグリップはケーブル端に牽引用フックなどの牽引端末を備えていないケーブルを牽引する際にケーブルを把持するために用いる道具であり、汎用のものを使用することができる。例えば、ステンレススチール製のネットを袋状に縫製したネット部であり、ネット部の長さは約１ｍで、片側には牽引ロープが連結されているものが一般的である。もう一方の片端には開口部があり、そこからケーブル端末を挿入する。牽引ロープを手引きあるいは電動ウインチ等で引張ると、ネット部がケーブル長手方向に引張られ、それによりネット部の断面積が収縮してケーブル把持力が発生する構造である。
【００３１】
（ケーブルについて）
本発明にいうコネクタ付ケーブルは、通信ケーブル、複合ケーブル、電力ケーブルのいずれであってもよい。このとき、使用されるケーブルはともにその規格は問わず、あらゆる絶縁ケーブルに適用可能である。
【００３２】
また、内部に配置する絶縁電線の本数についても特に制限がなく、中心導体の外周を絶縁被覆した単線であってもよく、また、このような単線を複数本寄せ集めた構造のものであってもよい。その外側に使用する絶縁性のシースは、たとえば、ポリエチレン、ポリ塩化ビニル、ノンハロゲン難燃材などを使用することができる。
【００３３】
（牽引用フックについて）
第２図に示すように、ケーブル１だけでなく、コネクタ２をも収納する牽引治具では、牽引方向に関して全端面を確保できるので、その中心部に予め牽引用フックを装着した。この牽引用フックは汎用のものを使用することができ、例えば、スチール製であり、根元部分はねじになっており予め牽引治具端面にねじ固定されている。先端はＯ型あるいはＣ型の略リング形状であり、そこに牽引ロープを連結して使用するものである。
【００３４】
（作用）
一般的にケーブルの端末にコネクタを備えたコネクタ付ケーブルにおけるコネクタの断面寸法（断面積）は、ケーブルの断面寸法（断面積）よりも大きくなる。ケーブルが丸型断面のものであれば、コネクタの直径はケーブルの直径よりも大きくなる。このため、ケーブルグリップを装着すると、コネクタの付け根の部分にネット部の締め付け力が集中してケーブルの端末方向にコネクタを引き抜く力が発生し、コネクタ内での芯線の断線を引き起こし又はコネクタの離脱のおそれが生じてしまう。
【００３５】
本発明のコネクタ付ケーブル用牽引治具を使用すれば、治具本体の断面積がコネクタの断面積よりも大きい構造であるため、ケーブルの端末側に組立て、ケーブルグリップによりウインチなどの牽引手段の牽引力を作用させると、ケーブルグリップから治具本体に伝達された牽引力がケーブルに伝達されてケーブルを牽引することができ、コネクタの部分には引張力の負荷がかからないようにすることができる。
【００３６】
また、本発明のコネクタ付ケーブル用牽引治具を使用すれば、治具本体が、少なくともケーブル本体を外側から囲むようにして装着され互いに連結される複数の部材からなるため、ケーブルを確実に把持することができ、ケーブルグリップから治具本体に伝達された牽引力をケーブルに直接伝達してケーブルを牽引することができる。
【実施例１】
【００３７】
以下、本発明の実施例にかかるコネクタ付ケーブル用牽引治具について説明する。
【００３８】
図１（ａ）に示すように、上下に半割りされた構造の治具本体が互いに溝を付した面が対向するように重ねられている構造のものを用いた。このように組み上げた後の治具本体の外形寸法は、幅２００ｍｍ、高さ１５０ｍｍ、長さ６００ｍｍであった。治具半体に設けた溝は、曲率Ｒが３０ｍｍの半円形の溝であり、組み上げた後には、内径が約６０ｍｍのケーブルクランプ穴が形成された。上側に位置する治具半体の表面には「上面」の表示を行い、また後述するコネクタマーカとの位置合わせ用マーカを形成した。そして治具本体はその長手方向に１６０ｍｍ間隔で深さ１０ｍｍの凹部を繰り返し形成し、凹部のない間隔に相当する凸部とにより凹凸構造を形成した。
【００３９】
ケーブルは４２対の信号線を配したケーブルであり、そのシース外径は６０ｍｍであった。この実施形態において用いたケーブルは、電磁遮蔽用のコルゲートアルミシース内に４２対のペア線を内蔵した構造であり、抗張力線は有しないものを使用した。そしてこのケーブルの端末部には、外径が９０ｍｍの丸型コネクタが装着されていた。このコネクタの先端部にはコネクタマーカが付されていた。図１（ｂ）に示すように、治具半体に設けた半円形の溝を合わせケーブルクランプ穴でケーブルシースを挟み込み、コネクタ付ケーブル用牽引治具の４隅を４本の固定ボルトで締め込んだ。この時、コネクタ先端部から治具端部までの距離は約１５０ｍｍであった。コネクタの全長が約１００ｍｍであるので、ケーブルシースの露出長は約５０ｍｍであった。
【００４０】
そしてこのようなコネクタ付ケーブル用牽引治具を付したケーブルの端末に対し図１（ｃ）に示すようにケーブルグリップのネット部で覆った。これを実際に牽引するとケーブルグリップの締め付け力は治具本体に加わり、コネクタの外径が治具本体の断面（２００ｍｍ×１５０ｍｍ）に比べて小さいため、コネクタ側面には牽引力は実質上ほとんど印加されておらず、結果として、コネクタ内部の芯線への損傷やコネクタの離脱は認めらなかった。
【００４１】
（実施例特有の効果）
一般的にケーブルは大径化に伴い捻り剛性が高くなる。一方で、コネクタは嵌合時の回転角度が決まっており、布設完了時にその回転角度が合っていない場合は数ｍ乃至数１０ｍ遡ってケーブルを捻って角度を調整する必要がある。
【００４２】
本発明にかかる実施形態によれば、コネクタ付ケーブル用牽引治具を断面円形とせず、矩形断面にすることにより、布設の最終段階においてケーブルを牽引する際にとう道やトラフなどの布設面に治具の接地基準面を接触させながら牽引すれば適正な回転角度を保持することができ、布設後に接続する相手方のケーブルのコネクタとの嵌合を容易にすることができる。また接地させずに布設する場合でも、コネクタに外力を付与せず治具本体で回転角度を修正しながら布設することで、コネクタへのダメージを防止することができる。また、併せて治具本体は、その表面にコネクタの回転位置を示すマークを記したものであるため、より確実に適正な回転角度を保持することができる。
【００４３】
また、本発明にかかる実施形態によれば、治具本体がその長手方向に凹部と凸部を繰り返し形成した構造としたため、ケーブルグリップの使用に際し、ケーブルに対する牽引力の印加を確実に行うことができる。
【００４４】
また、本発明にかかる実施形態によれば、半割された構造の治具本体にケーブルを挟み込んでボルト締めするという簡易な構造によりケーブルの牽引を実現するものであるため、短時間で簡単に牽引治具の着脱が可能であり、布設現場におけるコネクタ付ケーブルの取扱性を向上させることができる。
【実施例２】
【００４５】
次に、本発明の第２の実施例について説明する。
【００４６】
図２に示すように、第２の実施例においては、治具本体の先端部に牽引用フックを設置している。上下に半割りされた構造の治具本体が互いに溝を付した面が対向するように重ねられている構造のものを用いる点においては実施例１と同様であるが、組み上げ後の治具本体の外形寸法は、幅２００ｍｍ、高さ１５０ｍｍ、長さ７５０ｍｍであった。治具半体に設けた溝は、曲率Ｒが３０ｍｍの半円形の溝であり、組み上げた後には、内径が約６０ｍｍのケーブルクランプ穴が形成された点については実施例１と同様であるが、この溝の先端に連続的にコネクタ収納溝を形成した。そして図２にあるように、ケーブルは半円形の溝に嵌め込まれ、コネクタはコネクタ収納溝に収納された。この実施例では治具本体の表面に凹凸構造を有しないものであることの他は実施例１の場合と同様である。そして、牽引用フックに対して図示しない牽引用ロープを連結して牽引を行ったところ、コネクタ内でケーブルの損傷やコネクタの離脱などは認められなかった。
【００４７】
（実施例特有の効果）
本発明にかかる他の実施形態によれば、本発明の実施例１に記載の効果のほかに、コネクタを含めて治具本体の中に収納する構造としており、治具本体の先端部に牽引用フックを装着していることから、ケーブルグリップを使用しなくても牽引することができる。
【符号の説明】
【００４８】
１  ケーブル
２  コネクタ
３  ケーブルグリップ
４  コネクタ付ケーブル用牽引治具
５  治具本体
６  溝
７  牽引用フック
８  マーカ
９  コネクタマーカ
１０  固定用ボルト
１１  コネクタ収納溝
【図１】
2011125085.tif 000003
【図２】
2011125085.tif 000004